(57)【要約】【課題】マルチキャストグループに属する全ての端末がより安定した受信環境で受信することができるデータを送信することができる通信装置を提供する。【解決手段】マルチキャリア方式を用いて、マルチキャストグループに属する複数の端末装置と通信を行う通信装置であって、マルチキャリア方式により通信する通信先の端末装置の受信状況を検出する受信状況検出手段１７０と、受信状況検出手段１７０が検出した受信状況に基づいて、送信先の端末装置１０が利用可能な複数のサブキャリアのうちから、マルチキャリア方式の通信において利用するサブキャリアを選択する選択手段１０４，２０４と、選択手段１０４，２０４が選択したサブキャリアを利用して、マルチキャストグループに属する複数の端末装置と通信する通信手段１００とを備えた。【選択図】        図２
2005101730.tif 000002
【特許請求の範囲】
【請求項１】
マルチキャリア方式を用いてマルチキャストグループに属する複数の端末装置と通信を行う通信装置であって、
前記マルチキャリア方式により通信する通信先の端末装置の受信状況を検出する受信状況検出手段と、
前記受信状況検出手段が検出した前記受信状況に基づいて、前記送信先の前記端末装置が利用可能な複数のサブキャリアのうちから、前記マルチキャリア方式の通信において利用するサブキャリアを選択する選択手段と、
前記選択手段が選択した前記サブキャリアを利用して、前記マルチキャストグループに属する複数の端末装置と通信する通信手段と
を備えたことを特徴とする通信装置。
【請求項２】
前記選択手段は、予め定められた数のサブキャリアを選択し、
前記通信手段は、前記選択手段が選択した複数のサブキャリアを利用して、前記マルチキャストグループに属する複数の端末装置と通信することを特徴とする請求項１に記載の通信装置。
【請求項３】
前記受信状況検出手段は、各サブキャリアにおける複数の前記端末装置の前記受信状況を検出し、
前記選択手段は、前記各サブキャリアにおける複数の前記端末装置の前記受信状況に基づいて、前記サブキャリアを選択することを特徴とする請求項１または２に記載の通信装置。
【請求項４】
前記受信状況検出手段は、
各サブキャリアにおける複数の前記端末装置の受信信号電力をそれぞれ検出する電力検出手段と、
前記電力検出手段が検出した各受信信号電力に基づいて、各サブキャリアにおける最小受信信号電力を特定する最小受信信号電力特定手段と
を有し、
前記選択手段は、前記最小受信信号電力に基づいて、前記サブキャリアを選択することを特徴とする請求項３に記載の通信装置。
【請求項５】
前記選択手段は、前記最小受信信号電力が大きいサブキャリアから順に、予め定められた数のサブキャリアを選択することを特徴とする請求項４に記載の通信装置。
【請求項６】
前記受信状況検出手段は、一定期間が経過する毎に受信状況を検出し、
前記選択手段は、前記受信状況検出手段が前記受信状況を検出する毎に、サブキャリアを選択することを特徴とする請求項１から５のいずれか一項に記載の通信装置。
【請求項７】
前記マルチキャストグループに新規に加入した新規加入端末装置を検出するマルチキャストグループ管理手段をさらに備え、
前記受信状況検出手段は、前記マルチキャストグループ管理手段が前記新規加入端末装置を検出した場合に、前記新規加入端末装置の受信状況をさらに検出することを特徴とする請求項１から６のいずれか一項に記載の通信装置。
【請求項８】
前記マルチキャストグループから脱退した脱退端末装置を検出するマルチキャストグループ管理手段をさらに備え、
前記受信状況検出手段は、前記マルチキャストグループ管理手段が前記脱退端末装置を検出した場合に、前記脱退端末装置の受信状況を検出しないことを特徴とする請求項１から７のいずれか一項に記載の通信装置。
【請求項９】
前記マルチキャストグループ検出手段は、前記受信状況検出手段が所定の端末装置から受信状況を検出しない状態で、所定の時間が経過した場合に、当該端末装置を脱退端末装置として検出することを特徴とする請求項８に記載の通信装置。
【請求項１０】
マルチキャリア方式を用いてマルチキャストグループに属する複数の端末装置と、当該端末装置と通信を行う通信装置を備えた通信システムであって、
前記通信装置は、
前記マルチキャリア方式により通信する通信先の前記端末装置の受信状況を検出する受信状況検出手段と、
前記受信状況検出手段が検出した前記受信状況に基づいて、前記送信先の前記端末装置が利用可能な複数のサブキャリアのうちから、前記マルチキャリア方式の通信において利用するサブキャリアを選択する選択手段と、
前記選択手段が選択した前記サブキャリアを利用して、前記マルチキャストグループに属する複数の端末装置と通信する通信手段と
を有することを特徴とする通信システム。
【請求項１１】
マルチキャリア方式を用いてマルチキャストグループに属する複数の端末装置と通信を行う通信方法であって、
前記マルチキャリア方式により通信する通信先の端末装置の受信状況を検出する受信状況検出ステップと、
前記受信状況検出ステップにおいて検出した前記受信状況に基づいて、前記送信先の前記端末装置が利用可能な複数のサブキャリアのうちから、前記マルチキャリア方式の通信において利用するサブキャリアを選択する選択ステップと、
前記選択ステップにおいて選択した前記サブキャリアを利用して、前記マルチキャストグループに属する複数の端末装置と通信する通信ステップと
を有することを特徴とする通信方法。
【発明の詳細な説明】
【技術分野】
【０００１】
本発明は、マルチキャリア方式を用いて通信を行う通信装置、通信システムおよび通信方式に関するものである。
【背景技術】
【０００２】
直交周波数分割多重方式を用いたシステムにおいては、送信機は、まず送信する情報を１次変調し、各サブキャリアに並列に配置しＩＦＦＴを施す。さらに、シンボル間干渉を除去するためのガードインターバル(ＧＩ)を付加し、並直列変換し、デジタル／アナログ変換を施して外部に送出する。
【０００３】
このとき、個々の端末の受信状況によらず全てのサブキャリアを通信チャネルに割当てる方法が最も単純であり、一般的である。
【０００４】
また、個々の端末における各サブキャリアの受信状況、すなわち周波数特性に応じて、端末毎に利用するサブキャリアを決定する技術が知られている。また、各端末の周波数特性に応じて、変調方式を決定する技術も知られている（例えば、特許文献１参照）。
【０００５】
【特許文献１】特開平１０−２４７９５５号公報
【発明の開示】
【発明が解決しようとする課題】
【０００６】
マルチキャスト通信においては、従来のブロードキャスト放送と同様に、利用するサブキャリアが固定された方式が知られている。マルチキャスト送信された情報を受信する端末毎に受信状況が異なるため、マルチキャリアが固定された方式では、各端末における受信品質が異なってしまう。すなわち、端末によっては、受信品質が著しく低下してしまう。このように、マルチキャストグループに属する全ての端末が、良好な状態でデータを受信することは困難である。そして、提供先の一部の端末においては、通信を行う権利があるにもかかわらず、端末の受信状況により受信品質が著しく低下するという問題が生じる。
【０００７】
この発明は上記の問題を解決するためになされたものであり、マルチキャスト通信を利用する端末全ての受信状況を把握した上で、通信に割当てるサブキャリアを決定することにより、マルチキャストグループに属する全ての端末がより安定した受信環境で受信することができるようなデータ送信が可能な通信装置を提供することを目的とする。
【課題を解決するための手段】
【０００８】
上述した課題を解決し、目的を達成するために、本発明は、マルチキャリア方式を用いてマルチキャストグループに属する複数の端末装置と通信を行う通信装置であって、前記マルチキャリア方式により通信する通信先の端末装置の受信状況を検出する受信状況検出手段と、前記受信状況検出手段が検出した前記受信状況に基づいて、前記送信先の前記端末装置が利用可能な複数のサブキャリアのうちから、前記マルチキャリア方式の通信において利用するサブキャリアを選択する選択手段と、前記選択手段が選択した前記サブキャリアを利用して、前記マルチキャストグループに属する複数の端末装置と通信する通信手段とを備えたことを特徴とする。
【発明の効果】
【０００９】
本発明にかかる通信装置は、マルチキャストグループに属する端末装置ごとの受信状況に基づいて、通信に割り当てるサブキャリアを選択するので、マルチキャストグループに属する全ての端末がより安定した受信環境で受信することができるデータを送信することができる。
【発明を実施するための最良の形態】
【００１０】
以下に、本発明にかかる通信装置、通信システムおよび通信方法の実施例を図面に基づいて詳細に説明する。なお、この実施例によりこの発明が限定されるものではない。
【実施例１】
【００１１】
図１は、本発明にかかる通信装置としての基地局２０を含む通信システム１の全体構成を示す図である。通信システム１は、ＯＦＤＭ方式のマルチキャスト通信を採用している。ここで、マルチキャスト通信とは、全ての端末に情報を送信するブロードキャスト通信とは異なり、ある特定の情報に関して通信を行う権利を有する、ある特定された１つもしくは複数の端末に対して特定の情報を送信する方式である。
【００１２】
本発明におけるマルチキャスト通信は、図１に示すように比較的狭いスポットエリア３０において、基地局２０から特定の携帯端末１０ａ，１０ｂ，１０ｃ・・・に特定の情報を送信する場合に適用される。なお、図１に示すスポットエリア３０は、面的に展開されたセルラーエリアの中に点在している。
【００１３】
図２は、基地局２０の機能構成を示すブロック図である。基地局２０は、送信側ディジタル部１００と、Ｄ／Ａ変換部１１０と、無線部１５０と、通信部１６０と、Ａ／Ｄ変換部２１０と、受信側ディジタル部２００と、サブキャリア割当制御部１７０と、端末状況記憶装置１７２とを備えている。
【００１４】
さらに、送信側ディジタル部１００は、１次変調器１０２と、サブキャリア割当部１０４と、高速フーリエ逆変換（ＩＦＦＴ）１０６と、並列／直列変換器１０７と、ガードインターバル（ＧＩ）付加部１０８とを有している。また、受信側ディジタル部２００は、ＧＩ除去部２０８と、直列／並列変換器２０７と、高速フーリエ変換（ＦＦＴ）２０６と、サブキャリア選択部２０４と、１次復調器２０２とを備えている。
【００１５】
端末状況記憶装置１７２は、送信側ディジタル部１００におけるサブキャリアの割り当てに関する情報を記憶している。ここで、割り当て情報とは、マルチキャリアグループに属する各携帯端末の受信信号電力を示す情報である。なお、端末状況記憶装置１７２は、携帯端末１０から割り当て情報を取得する。端末状況記憶装置１７２はさらに、サブキャリア割当部１０４がサブキャリアを割当てるときに利用する閾値であるＰＴｈを記憶している。
【００１６】
図３は、端末状況記憶装置１７２のデータ構成を模式的に示す図である。端末状況記憶装置１７２は、各携帯端末を識別する端末ＩＤに対応付けて、各サブキャリアにおける受信信号電力値を記憶している。
【００１７】
サブキャリア割当制御部１７０は、端末状況記憶装置１７２に記憶されている情報に基づいて、サブキャリア割当部１０４における処理を制御する。１次変調器１０２は、基地局２０から送信すべきデジタルデータに対して１次変調を施し、変調シンボルを作成する。
【００１８】
サブキャリア割当部１０４は、サブキャリア割当制御部１７０の制御に基づいて、マルチキャストチャネルを割り当てるサブキャリアを決定する。端末状況記憶装置１７２にマルチキャストグループに属する全ての携帯端末の受信信号電力値が記憶されると、サブキャリア割当部１０４は、サブキャリアの割り当てを行う。
【００１９】
ＩＦＦＴ１０６は、サブキャリア割当部１０４から受け取った送信データに対して高速フーリエ逆変換を施す。並列／直列変換器１０７は、ＩＦＦＴ１０６から受け取った送信データを並列から直列に並べ替える。
【００２０】
ＧＩ付加部１０８は、ＩＦＦＴ１０６から受け取った送信データに対して、ガードインターバルを付加する。そして、Ｄ／Ａ変換部１１０、無線部１５０、および通信部１６０を介して携帯端末１０に送信データが送信される。
【００２１】
また、ＧＩ除去部２０８は、通信部１６０、無線部１５０、およびＡ／Ｄ変換部２１０を介して携帯端末１０から受信した受信データからガードインターバルを除去する。
【００２２】
直列／並列変換器２０７は、直列の受信データを並列に並べ替える。ＦＦＴ２０６は、受信データに対して高速フーリエ変換を施す。サブキャリア選択部２０４は、サブキャリア割当制御部１７０の制御に基づいてサブキャリアを選択する。１次復調器２０２は、受信データに対して１次復調を施す。
【００２３】
図４は、マルチキャスト通信におけるサブキャリアを決定する処理を説明するための図である。本実施例にかかる通信システム１においては、マルチキャストグループに属する全ての携帯端末における受信周波数特性を考慮してマルチキャスト通信チャネルのサブキャリア配置を決定する。このとき、特に受信信号電力を考慮する。
【００２４】
基地局２０は、マルチキャスト通信チャネルが確立するまでに、携帯端末１０において測定された各サブキャリアの受信信号電力値を受信する。そして、各サブキャリアから受信した受信信号電力値に基づいてサブキャリア配置を決定する。
【００２５】
例えば、基地局２０が３つの携帯端末１０ａ，１０ｂ，１０ｃそれぞれから図４に示すような受信信号電力値を受信した場合、各携帯端末１０ａ，１０ｂ，１０ｃにおける受信信号電力が比較的高い周波数帯４１０，４１２，４１４，４１６をサブキャリアとして優先的に選択する。
【００２６】
一方、携帯端末１０ａ，１０ｂ，１０ｃのいずれかにおける受信信号電力が比較的低い周波数帯４００，４０２，４０４をサブキャリアとしてなるべく選択しない周波数帯として決定する。このように、マルチキャストグループに属する全ての携帯端末における受信信号電力に基づいてサブキャリアを決定する。
【００２７】
なお、マルチキャスト通信用として選択されたサブキャリアに情報を載せ、選択されなかったサブキャリアには既知のダミー信号を割り当てる。
【００２８】
図５は、携帯端末１０の機能構成を示すブロック図である。携帯端末１０の機能構成は、図２を参照しつつ説明した基地局２０の機能構成とほぼ同様である。ただし、携帯端末１０においては、携帯端末１０のサブキャリア割当制御部１７０および端末状況記憶装置１７２にかえて、サブキャリア受信状況推定部１８０および受信状況記憶装置１８２を備えている。サブキャリア受信状況推定部１８０は、基地局２０との通信が確立するまでに、Ｎ本の全サブキャリアの受信信号電力を測定し、受信状況記憶装置１８２に記憶しておく。また、携帯端末１０は、上り回線を利用して、受信状況記憶装置１８２に記憶されている、各サブキャリアの受信信号電力を基地局に送信する。
【００２９】
図６は、サブキャリア決定処理を示すフローチャートである。また、図７〜図９は、サブキャリア決定処理を説明するための図である。
【００３０】
サブキャリア決定処理において、基地局２０はまず、端末状況記憶装置１７２に記憶されている受信信号電力値から、各サブキャリア毎の最小値を選択する（ステップＳ１００）。そして、サブキャリア毎に選択した最小受信信号電力値を端末状況記憶装置１７２に記憶させる。
【００３１】
図７および図８は、各サブキャリア毎の最小受信信号電力値を設定する処理を説明するための図である。図７に示すように、サブキャリア毎に各携帯端末における受信信号電力が異なっている。この中から、図８に示すようにサブキャリア毎の最小受信信号電力値を選択する。
【００３２】
次に、各サブキャリアにおける最小受信信号電力値と、閾値ＰＴｈとを比較し、閾値ＰＴｈ以上の最小受信信号電力値を示すサブキャリアを選択する（ステップＳ１０２）。すなわち、閾値ＰＴｈ以上の最小受信信号電力値を示すサブキャリアにマルチキャストチャネルを割当てる。以上の処理により、Ｎ個のサブキャリアが選択された場合には（ステップＳ１０４，Ｙｅｓ）、サブキャリア選択処理が完了する。
【００３３】
一方、上記処理において選択したサブキャリアがＮ個に満たない場合には（ステップＳ１０４，Ｎｏ）、上記処理において選択されなかった閾値ＰＴｈ以下の最小受信信号電力を取り出し、大きい順に並べ替える（ステップＳ１１０）。
【００３４】
次に、最小受信信号電力値が最も大きいサブキャリアを選択し、選択したサブキャリアにマルチキャストチャネルを割り当てる（ステップＳ１１２）。Ｎ個のサブキャリアが選択されるまで（ステップＳ１１４，Ｙｅｓ）、サブキャリアの選択を繰り返す。以上により、サブキャリア選択処理が完了する。
【００３５】
ここで、サブキャリアを選択する処理について説明する。最小受信信号電力値が大きいサブキャリアから順に選択する。図９は、本実施例におけるサブキャリア選択処理を説明するための図である。図９に示すように、まず閾値ＰＴｈ以上のサブキャリアをマルチキャストチャネルとして選択する。そして、Ｎ個と閾値ＰＴｈ以上のサブキャリアの数の差分だけ、閾値ＰＴｈ以下のサブキャリアを選択する。
【００３６】
このように、予め閾値ＰＴｈを定めておくことにより、受信信号電力値を大きい順に並び替えるときの処理量を軽減することができる。すなわち、選択処理を効率的に行うことができる。
【００３７】
実施例１にかかる通信システム１によれば、以上のように、最小受信信号電力値が比較的高いサブキャリアがマルチキャストチャネルとして選択されるので、各携帯端末に対して高品質な通信環境を提供することができる。
【実施例２】
【００３８】
次に、実施例２にかかる通信システム１について説明する。実施例２にかかる通信システム１は、定期的にサブキャリア決定処理を行う。この点で、実施例２にかかる通信システム１は、一旦サブキャリアを決定した後は、決定したサブキャリアによるマルチキャスト通信を行う実施例１にかかる通信システム１と異なっている。
【００３９】
図１０は、実施例２にかかる通信システム１におけるサブキャリア決定処理を説明するための図である。実施例２にかかる通信システム１においては、図１０に示すように４つのステップによりサブキャリア選択処理が行われる。
【００４０】
まず、区間Ａにおいて、各携帯端末は、全サブキャリアにおける受信信号電力値を測定する（ステップＳ２００）。そして、時間平均した値を受信状況記憶装置１８２に記憶させる。
【００４１】
次に、区間Ｂにおいて、各携帯端末は受信状況記憶装置１８２に記憶されているサブキャリア毎の最小受信信号電力値を上り回線を利用して基地局２０に送信する（ステップＳ２０２）。そして、基地局２０は、受信した受信信号電力値に基づいて端末状況記憶装置１７２の内容を更新する。
【００４２】
次に、区間Ｃにおいて、基地局２０は、端末状況記憶装置１７２に記憶されている各端末におけるサブキャリア毎の受信信号電力値を利用して、実施例１において説明したサブキャリア選択処理によりＮ個のサブキャリアを選択する（ステップＳ２０４）。
【００４３】
次に、区間Ｄにおいて、基地局２０は、決定したサブキャリア番号をマルチキャスト通信する全携帯端末に通知する（ステップＳ２０６）。
【００４４】
上記４ステップをサブキャリア選択周期Ｔの１単位とし、サブキャリア選択周期Ｔを繰り返す。サブキャリア選択周期Ｔは、例えば、マルチキャスト通信で伝送する１フレーム長の定数倍に相当する時間間隔であることが望ましい。
【００４５】
サブキャリア決定処理を行った時点では、最小受信信号電力が大きいサブキャリアが選択されているため、各携帯端末に高品質な通信環境を提供することができる。しかし、時間の経過または送信先の携帯端末の移動により、各サブキャリアにおける周波数特性が変動する。したがって、実施例１にかかるサブキャリア選択処理により決定したサブキャリアを利用しても、常に高品質な通信環境を提供し続けることができるとは限らない。これに対して、実施例２にかかる通信システム１においては、上述のように、定期的にサブキャリア選択処理を行うので、常に各携帯端末に対して高品質な通信環境を提供し続けることができる。
【実施例３】
【００４６】
次に、実施例３にかかる通信システム１について説明する。実施例３にかかる通信システム１においては、マルチキャストグループに新規に携帯端末が加入した場合に、新規に加入した携帯端末における受信信号電力値を考慮してサブキャリアを選択する。この点で、実施例３にかかる通信システム１は、他の実施例にかかる通信システム１と異なっている。
【００４７】
図１１は、実施例３にかかる通信システムにおいて、新規の携帯端末がマルチキャストグループに加入した場合のサブキャリア決定処理を説明するための図である。
【００４８】
まず、第１周期５０１において、基地局２０は、加入端末Ｘを認識する（ステップＳ２１０）。ここで、第１周期５０１とは、実施例２において説明したサブキャリア選択周期Ｔの１周期に相当する。
【００４９】
次に、第２周期５０２において、基地局２０は、第１周期５０１において選択したサブキャリアをマルチキャストグループの各携帯端末に通知する（ステップＳ２１２）基地局２０は、さらに端末状況記憶装置１７２に、加入端末Ｘの欄を追加する（ステップＳ２１４）。
【００５０】
一方、第２周期５０２において、加入端末Ｘは受信信号電力を測定する（ステップＳ２００）。第２周期５０２における加入端末Ｘのこれ以降の処理は、実施例２において図１０を参照しつつ説明した携帯端末１０の処理と同様である。
【００５１】
そして、第３周期５０３において、基地局２０は、加入端末Ｘを含むマルチキャストグループの各携帯端末から受信信号電力値を受信する。そして、これに基づいてサブキャリアを選択する（ステップＳ２１６）。
【００５２】
このように、実施例３にかかる通信システム１においては、加入端末を検出すると、次のサブキャリア選択周期から、当該加入端末を含むマルチキャストグループ内の携帯端末における受信信号電力に基づいてサブキャリアを選択することができる。したがって、常に提供時のマルチキャストグループに属する携帯端末に対して適切なサブキャリアを選択することができる。
【００５３】
図１２は、実施例３にかかる通信システムにおいて、携帯端末がマルチキャストグループから脱退した場合のサブキャリア決定処理を説明するための図である。
【００５４】
第１周期５１１において、基地局２０は、脱退端末Ｙを認識する（ステップＳ２２０）。具体的には、基地局２０は、所定の携帯端末から予め定められた受信信号電力値を受信しない場合に、当該携帯端末を脱退端末であると認識する。
【００５５】
そして、第２周期において、基地局２０は端末状況記憶装置１７２における脱退端末Ｙの欄を削除する（ステップＳ２２４）そして第３周期５１３において、基地局２０は、脱退端末Ｙ以外の携帯端末から受信信号電力値を受信する。そして、これに基づいてサブキャリアを選択する（ステップＳ２２６）。
【００５６】
なお、これ以外の基地局２０および携帯端末１０における処理は、図１１において説明した加入端末Ｘに対する基地局２０および携帯端末１０における処理と同様である。
【００５７】
こように、実施例２にかかる通信システム１においては、脱退端末Ｙを検出すると、次のサブキャリア選択周期から、当該脱退端末以外の端末における受信信号電力に基づいてサブキャリアを選択することができるので、常に提供時のマルチキャストグループに属する携帯端末に対して適切なサブキャリアを選択することができる。
【００５８】
以上のように、実施例２にかかる通信システム１によれば、マルチキャスト通信への加入および脱退が頻繁に起こった場合でも、単純な方法で加入および脱退した端末からの受信状況の反映および削除を実現できるので、常にマルチキャストグループに属する携帯端末に対して適切なサブキャリアを選択することができる。
【実施例４】
【００５９】
図１３は、実施例４にかかる通信システム１の全体構成を示す図である。実施例４にかかる通信システム１では、マルチキャリア方式を用いた移動通信用のセル４０の中にマルチキャスト通信を行うスポットエリア３０が点在している。なお、ここで、移動通信用のセル４０は面的に配置されている。
【００６０】
また、実施例４にかかる通信システム１は、直交周波数分割多重(ＯＦＤＭ)を用い、かつＯＦＤＭに符号拡散による多重すなわち符号分割多重(ＣＤＭ)を組み合わせた通信を行う。これにより、周波数利用効率の高いシステムを提供することが可能である。
【００６１】
なお、ＣＤＭを行わないＯＦＤＭでは、マルチキャスト通信用に割当てられたサブキャリアは他の通信用に利用することができないが、実施例４においては、マルチキャスト通信用に拡散符号を一つ割当てることにより、図１３に示すようなセル中のスポットエリアとの通信が可能となる。
【００６２】
図１４は、実施例４にかかる基地局２０の送信側ディジタル部１００の機能構成を示すブロック図である。なお、実施例４においては、時間軸方向への拡散が利用される。送信側ディジタル部１００は、実施例１において説明した送信側ディジタル部１００の機能構成に加えて、直列／並列変換器１０３と、拡散符号発生器１０５とを備えている。
【００６３】
１次変調器１０２は、送信データに対してＱＰＳＫ変調等の１次変調を施して、変調シンボルを作成する。その後、直列/並列変換器１０３は、送信データを並列に並べ替える。そして変調シンボルは、拡散符号発生器１０５で拡散符号が乗算されて時間軸方向に拡散される。並列にＭ個並んだ拡散後の各チップは、サブキャリア割当部１０４においてサブキャリアに割り当てられる。
【００６４】
図１５は、実施例４にかかる携帯端末１０の受信側ディジタル部２００の機能構成を示すブロック図である。受信側ディジタル部２００は、実施例１において説明した受信側ディジタル部２００の機能構成に加えて、並列／直列変換器２０３と、拡散符号発生器２０５と、加算器２０１とを備えている。
【００６５】
サブキャリア選択部２０４によってＮ個のＦＦＴ後の信号からＭ個の信号が取り出され、このＭ個の信号は、拡散符号発生器２０５で得られた拡散符号が乗算される。さらに加算器２０１により時間的に加算されて逆拡散が行われ、１次変調シンボルが得られる。そして、並列／直列変換器２０３により、これらのシンボルは並烈/直列変換されて、１次復調器に送られる。
【００６６】
また、実施例４にかかる通信システム１の上記以外の構成および処理は、実施例１にかかる通信システム１の構成および処理と同様である。
【００６７】
ＯＦＤＭに符号分割多重(ＣＤＭ)を組み合わせる具体的な方式としては、マルチキャリアＣＤＭＡや、マルチキャリアＤＳ-ＣＤＭＡなどがある。これらの方式と、第１実施例から第３実施例において説明したマルチキャスト通信を行う手順を組み合わせることにより、マルチキャスト通信を行う全端末の受信環境を考慮した効果的なサブキャリアの選択を行うことができる。また、面的配置しているセル内にマルチキャスト通信を行うスポットエリアを点在させることができる。
【実施例５】
【００６８】
次に、実施例５にかかる通信システム１について説明する。実施例５にかかる通信システム１は、直交周波数分割多重(ＯＦＤＭ)を用い、かつＯＦＤＭに符号拡散による多重すなわち符号分割多重(ＣＤＭ)を組み合わせた通信を行う。この点では、実施例４にかかる通信システム１と同様である。なお、実施例５にかかる通信システム１は、周波数方向への拡散を利用する。この点で、実施例５にかかる通信システム１は、実施例４にかかる通信システム１と異なっている。
【００６９】
図１６は、実施例５にかかる基地局２０の送信側ディジタル部１００の機能構成を示すブロック図である。実施例５にかかる送信側ディジタル部１００は、実施例１にかかる送信側ディジタル部１００の機能構成に加えて、直列／並列変換器１０３と、拡散符号発生器１０５と、コピー部１０１とを備えている。
【００７０】
直列／並列変換器１０３は、１次変調器１０２から出力された変調シンボルを並列に並べ替える。このとき、並列に並べる個数Ｋは、Ｋ＝Ｍ/ＳＦとする。ここで、Ｍは通信において利用するサブキャリア数(Ｍ＜Ｎ, Ｎ：全サブキャリア数)、ＳＦは拡散率である。この並列に並べた変調シンボルは、各シンボルに対してＳＦ個分だけ同じ値でコピーされ、拡散符号が乗算される。これをＫシンボル分繰り返し、サブキャリア割当部１０４でサブキャリアに割り当てられる。これにより、利用者からの情報は周波数軸方向に拡散される。
【００７１】
図１７は、実施例５にかかる携帯端末１０の受信側ディジタル部２００の機能構成を示すブロック図である。実施例５にかかる受信側ディジタル部２００は、実施例１にかかる受信側ディジタル部２００の機能構成に加えて、並列／直列変換器２０３と、拡散符号発生器２０５と、加算器２０１とを備えている。
【００７２】
サブキャリア選択部２０４によってＮ個のＦＦＴ後の信号からＭ個の信号が取り出される。そして、この取り出されたＭ個の信号は、ＳＦ個毎に拡散符号が乗算しサブキャリア方向に加算することで逆拡散が行われる。これにより、１次変調シンボルが得られる。さらに、並列／直列変換器２０３は、１次変調シンボルを並列/直列変換する。そして、１次復調器２０２は、復調して、デジタルデータを得る。
【００７３】
また、実施例５にかかる通信システム１における上記以外の構成および処理は、実施例４にかかる通信システム１の構成および処理と同様である。
【００７４】
以上、本発明を実施の形態を用いて説明したが、上記実施の形態に多様な変更または改良を加えることができる。
【産業上の利用可能性】
【００７５】
以上のように、本発明にかかる通信装置等は、複数の端末装置と通信する通信装置に有用であり、特に、マルチキャリア方式を用いた通信装置に適している。
【図面の簡単な説明】
【００７６】
【図１】通信システム１の全体構成を示す図である。
【図２】基地局２０の機能構成を示すブロック図である。
【図３】端末状況記憶装置１７２のデータ構成を模式的に示す図である。
【図４】マルチキャスト通信におけるサブキャリアを決定する処理を説明するための図である。
【図５】携帯端末１０の機能構成を示すブロック図である。
【図６】サブキャリア決定処理を示すフローチャートである。
【図７】サブキャリア決定処理を説明するための図である。
【図８】サブキャリア決定処理を説明するための図である。
【図９】サブキャリア決定処理を説明するための図である。
【図１０】実施例２にかかる通信システムにおけるサブキャリア決定処理を説明するための図である。
【図１１】実施例３にかかる通信システムにおいて、新規の携帯端末がマルチキャストグループに加入した場合のサブキャリア決定処理を説明するための図である。
【図１２】実施例３にかかる通信システムにおいて、携帯端末がマルチキャストグループから脱退した場合のサブキャリア決定処理を説明するための図である。
【図１３】実施例４にかかる通信システム１の全体構成を示す図である。
【図１４】実施例４にかかる基地局２０の送信側ディジタル部１００の機能構成を示すブロック図である。
【図１５】実施例４にかかる携帯端末１０の受信側ディジタル部２００の機能構成を示すブロック図である。
【図１６】実施例５にかかる基地局２０の送信側ディジタル部１００の機能構成を示すブロック図である。
【図１７】実施例５にかかる携帯端末１０の受信側ディジタル部２００の機能構成を示すブロック図である。
【符号の説明】
【００７７】
１  通信システム
１０  携帯端末
２０  基地局
３０  スポットエリア
４０  セル
１００  送信側ディジタル部
１０１  コピー部
１０２  次変調器
１０３  並列変換器
１０４  サブキャリア割当部
１０５  拡散符号発生器
１０７  並列／直列変換器
１０８  ＧＩ付加部
１１０  Ｄ／Ａ変換部
１５０  無線部
１６０  通信部
１７０  サブキャリア割当制御部
１７２  端末状況記憶装置
１８０  サブキャリア受信状況推定部
１８２  受信状況記憶装置
２００  受信側ディジタル部
２０１  加算器
２０２  １次復調器
２０３  直列変換器
２０４  サブキャリア選択部
２０５    拡散符号発生器
２０７  直列／並列変換器
２０８  ＧＩ除去部
２１０  Ａ／Ｄ変換部
【図１】
2005101730.tif 000003
【図２】
2005101730.tif 000004
【図３】
2005101730.tif 000005
【図４】
2005101730.tif 000006
【図５】
2005101730.tif 000007
【図６】
2005101730.tif 000008
【図７】
2005101730.tif 000009
【図８】
2005101730.tif 000010
【図９】
2005101730.tif 000011
【図１０】
2005101730.tif 000012
【図１１】
2005101730.tif 000013
【図１２】
2005101730.tif 000014
【図１３】
2005101730.tif 000015
【図１４】
2005101730.tif 000016
【図１５】
2005101730.tif 000017
【図１６】
2005101730.tif 000018
【図１７】
2005101730.tif 000019